(57)【特許請求の範囲】
【請求項１】
外壁下地合板とその上に設けられた外壁ボードからなる建築用ボード間の目地空間に嵌入され、目地空間を柱部の両側面部に形成されたシールリップ部でシールする長尺状の目地ガスケットを使用した目地構造において、前記シールリップ部は、少なくとも、目地空間に最先に嵌入される下側の先端リップと，その逆の上側の後端リップと，および、該先端リップと後端リップとの間に設けられ、嵌入により前記外壁下地合板と外壁ボードとの境界線を含めそれより外壁下地合板側下部をシールする中空リップと，からなることを特徴とする目地構造。
【請求項２】
外壁下地合板とその上に設けられた外壁ボードからなる建築用ボード間の目地空間に嵌入され、目地空間を柱部の両側面部に形成されたシールリップ部でシールする長尺状の目地ガスケットを使用した目地構造において、前記シールリップ部は、少なくとも、目地空間に最先に嵌入される下側の先端リップと，その逆の上側の後端リップと，および、該先端リップと後端リップとの間に設けられ、嵌入により前記外壁下地合板と外壁ボードとの境界線を含めそれより外壁下地合板側下部をシールする中空リップと，からなり、しかも前記中空リップ全体の材質をＥＰＤＭスポンジゴムとし、前記柱部，先端リップ，後端リップの材質をＥＰＤＭソリッドゴムにしたことを特徴とする目地構造。
【請求項３】
外壁下地合板とその上に設けられた外壁ボードからなる建築用ボード間の目地空間に嵌入され、目地空間を柱部の両側面部に形成されたシールリップ部でシールする長尺状の目地ガスケットを使用した目地構造において、前記シールリップ部は、少なくとも、目地空間に最先に嵌入される下側の先端リップと，その逆の上側の後端リップと，および、該先端リップと後端リップとの間に設けられ、嵌入により前記外壁下地合板と外壁ボードとの境界線を含めそれより外壁下地合板側下部をシールする中空リップと，からなり、しかも前記中空リップの外壁下地合板側の側壁は外壁下地合板の側面に略平行になるように垂設させられるとともに、中空リップの上壁は上側に湾曲又は屈曲変形させられ、前記嵌入により中空リップの側壁全面から外壁下地合板側に略均一な力が加わるようにしたことを特徴とする目地構造。
【請求項４】
前記中空リップの側壁を、中空リップの上壁と側壁の交わる位置から直上方に延設したことを特徴とする請求項３に記載の目地構造。
【発明の詳細な説明】
【０００１】
【発明の属する技術分野】
本発明は、建築用の目地ガスケットを使用した目地構造に関する。より詳細には、外壁下地合板とその上に設けられた外壁ボードからなる建築用ボード間の目地空間に嵌入され、その目地空間をシールする目地ガスケットを使用した目地構造に関する。
【０００２】
【従来の技術】
従来の目地ガスケット１０は、図５に示すように、外壁下地合板１ａ，１ａとその上に設けられた外壁ボード１ｂ，１ｂからなる建築用ボード１，１間の目地空間Ｍに嵌入される長尺状（紙面の裏表方向に長く延びる）の目地ガスケットである。
目地ガスケット１０における柱部１１の両側面部には、複数のシールリップ部１２〜１５が形成がされ、嵌入によってシールリップ部１２〜１５から建築用ボード１，１の対向する側面に側圧が加わることにより止水効果が得られるようになっている。
【０００３】
【発明が解決しようとする課題】
しかしながら、外壁下地合板１ａ，１ａの木口部Ｐはささくれ立った状態であり吸水性に富むという問題があるので、シールリップ部１２〜１５でシールするだけでは不十分で外壁下地合板１ａ，１ａを腐食させるおそれがある。そのため、図５に示すように、木口部Ｐを鉄板１６などで覆ったり木口部Ｐに塗膜を形成したりする防水処理を施す必要がある。また、止水効果をより向上させる必要があり、一次止水材としての目地ガスケット１０に、例えばスポンジシートやＣＲ敷布などからなる二次止水材１７を併用し外壁下地合板１ａ，１ａの下部と鉄骨材２との間に敷設することが行われている。
このように従来の目地ガスケット１０を使用するにあたっては、部品点数が増加し、それにともない作業工数が多くなっていた。
また、目地ガスケット１０の目地空間Ｍ内における保持力には限界があるため脱落しやすいという欠点もあった。
【０００４】
そこで本発明の目的は、外壁下地合板の木口部の防水処理が不要で、しかも容易に脱落しにくい目地ガスケットを使用した目地構造を提供することにある。
【０００５】
また他の目的は、二次止水材と併用しなくても十分な止水効果の得られる目地ガスケットを使用した目地構造を提供することにある。
【０００６】
【課題を解決するための手段】
上記の目的を達成するために、本発明の請求項１に記載の目地構造は、外壁下地合板（１ａ，１ａ）とその上に設けられた外壁ボード（１ｂ，１ｂ）からなる建築用ボード間（１，１）の目地空間（Ｍ）に嵌入され、目地空間（Ｍ）を柱部（２１）の両側面部に形成されたシールリップ部でシールする長尺状の目地ガスケット（２０）を使用した目地構造において、前記シールリップ部は、少なくとも、目地空間（Ｍ）に最先に嵌入される下側の先端リップ（２２）と，その逆の上側の後端リップ（２３〜２５）と，および、先端リップ（２２）と後端リップ（２３）との間に設けられ、嵌入により外壁下地合板（１ａ，１ａ）と外壁ボード（１ｂ，１ｂ）との境界線（Ｈ）を含めそれより外壁下地合板（１ａ，１ａ）側下部をシールする中空リップ（２６）と，からなることを特徴とする。
【０００７】
また請求項２に記載の目地構造は、外壁下地合板（１ａ，１ａ）とその上に設けられた外壁ボード（１ｂ，１ｂ）からなる建築用ボード間（１，１）の目地空間（Ｍ）に嵌入され、目地空間（Ｍ）を柱部（２１）の両側面部に形成されたシールリップ部でシールする長尺状の目地ガスケット（２０）を使用した目地構造において、前記シールリップ部は、少なくとも、目地空間（Ｍ）に最先に嵌入される下側の先端リップ（２２）と，その逆の上側の後端リップ（２３〜２５）と，および、先端リップ（２２）と後端リップ（２３）との間に設けられ、嵌入により外壁下地合板（１ａ，１ａ）と外壁ボード（１ｂ，１ｂ）との境界線（Ｈ）を含めそれより外壁下地合板（１ａ，１ａ）側下部をシールする中空リップ（２６）と，からなり、しかも前記中空リップ（２６）全体の材質をＥＰＤＭスポンジゴムとし、前記柱部（２１），先端リップ（２２），後端リップ（２３）の材質をＥＰＤＭソリッドゴムにしたことを特徴とする。
【０００８】
更に請求項３に記載の目地構造は、外壁下地合板（１ａ，１ａ）とその上に設けられた外壁ボード（１ｂ，１ｂ）からなる建築用ボード間（１，１）の目地空間（Ｍ）に嵌入され、目地空間（Ｍ）を柱部（２１）の両側面部に形成されたシールリップ部でシールする長尺状の目地ガスケット（２０）を使用した目地構造において、前記シールリップ部は、少なくとも、目地空間（Ｍ）に最先に嵌入される下側の先端リップ（２２）と，その逆の上側の後端リップ（２３〜２５）と，および、先端リップ（２２）と後端リップ（２３）との間に設けられ、嵌入により外壁下地合板（１ａ，１ａ）と外壁ボード（１ｂ，１ｂ）との境界線（Ｈ）を含めそれより外壁下地合板（１ａ，１ａ）側下部をシールする中空リップ（２６）と，からなり、しかも前記中空リップ（２６）の外壁下地合板（１ａ，１ａ）側の側壁（２６ａ）は外壁下地合板（１ａ，１ａ）の側面に略平行になるように垂設させられるとともに、中空リップ（２６）の上壁（２６ｂ）は上側に湾曲又は屈曲変形させられ、前記嵌入により中空リップ（２６）の側壁（２６ａ）全面から外壁下地合板（１ａ，１ａ）側に略均一な力が加わるようにしたことを特徴とする。
【０００９】
また請求項４に記載の目地構造は、前記中空リップ（２６）の側壁（２６ａ）を、中空リップ（２６）の上壁（２６ｂ）と側壁（２６ａ）の交わる位置から直上方に延設したことを特徴とする。
【００１０】
なお、カッコ内の記号は図面に示し後述する発明の実施の形態の対応要素又は対応事項を示す。
【００１１】
請求項１に記載の発明によれば、中空リップは嵌入により外壁下地合板と外壁ボードとの境界線を含めそれより外壁下地合板側下部をシールするようになっているので、ささくれ立ち吸水性の大きい外壁下地合板の木口部が確実にシールされる。また、その中空リップは先端リップと後端リップとの間に設けられ、嵌入の際には先端リップが先が嵌入されるので中空リップが嵌入時に外壁下地合板側面のささくれに引っかかり破れることが防止される。
【００１２】
また請求項２に記載の発明によれば、請求項１に記載の作用効果に加えて、中空リップの材質を特にＥＰＤＭスポンジゴムにすれば、嵌入時の弾性変形によって優れたシール性と脱落防止効果が得られる。
【００１３】
更に請求項３に記載の発明によれば、中空リップの外壁下地合板側の側壁は垂設され、中空リップの上壁は上側に湾曲又は屈曲変形させられ、嵌入により中空リップの側壁全面から外壁下地合板側に略均一な力が加わるようにされているので、中空リップの外壁下地合板に対する密着性が一層高まり優れた止水効果が得られる。
【００１４】
また請求項４に記載の発明によれば、請求項３に記載の作用効果に加えて、中空リップの側壁は直上方に延設されているので、延設しないものと側壁の高さを同じにして比較すると延設した方がしないものより中空リップの大きさを小さく抑えることができる。
【００１５】
【発明の実施の形態】
図１および図２を参照して、本発明の実施形態に係る、目地ガスケット２０を使用した目地構造について説明する。図１は本実施形態に係る、目地ガスケット２０の一部を示す斜視図であり、図２は図１に示す目地ガスケット２０が建築用ボード１，１間に嵌入された状態を示す断面図である。
【００１６】
本発明の実施形態に係る目地ガスケット２０は、図１に示すように、従来例で示した目地ガスケット１０と同様に長尺状であり、図２に示すように、外壁下地合板１ａ，１ａとその上に設けられた外壁ボード１ｂ，１ｂからなる建築用ボード１，１間の目地空間Ｍに嵌入され目地空間Ｍを柱部２１の両側面部に形成されたシールリップ部でシールするようになっている。
このシールリップ部は、目地空間Ｍに最先に嵌入される下側の先端リップ２２と，その逆の上側の後端リップ２３〜２５と，および、先端リップ２２と後端リップ２３との間に設けられた中空リップ２６と，からなっていて、これらが、一体的に押出成形されて製造されたものである。先端リップ２２，後端リップ２３〜２５，および、中空リップ２６は左右対称で一対となっている。なお、最上側の後端リップ２５の外側には装飾用のカラー材２７が貼着されている。
【００１７】
中空リップ２６は、目地ガスケット２０の嵌入により外壁下地合板１ａと外壁ボード１ｂとの境界線Ｈを含めるように境界線Ｈの少し上から外壁下地合板１ａ側下部に密着してシールするようになっている。
これによって、ささくれ立ち吸水性の大きい外壁下地合板１ａの木口部Ｐが確実にシールされるので特に鉄板で覆ったり、塗膜を形成するといった防止処理加工は不要となる。
【００１８】
また中空リップ２６の形状は、外壁下地合板１ａ側の側壁２６ａは外壁下地合板１ａの側面に略平行になるように垂設させられ、かつ中空リップ２６の上壁２６ｂは上側に略くの字形に湾曲又は屈曲変形させられている。
これによって、目地ガスケット２０の嵌入時に中空リップ２６の側壁２６ａ全面から外壁下地合板１ａ側に略均一な力が外壁下地合板１ａに対して垂直に加わるようになるので、中空リップ２６の外壁下地合板１ａに対する密着性が一層高まり優れた止水効果が得られる。このため設定目地公差内であればあらゆる目地巾Ｌに対応することができ、また嵌入された目地ガスケット２０を引き抜く方向（上側）に外力が加わると中空リップ２６の上壁２６ｂの弾性変形により中空リップ２６密着部の摩擦抵抗が大きくなるので脱落防止の機能が発揮される。
【００１９】
更に中空リップ２６の側壁２６ａは、中空リップ２６の上壁２６ｂと側壁２６ａの交わる位置から直上方に延設されているので、延設しないものと側壁２６ａの高さを同じにして比較すると延設した方がしないものより中空リップ２６の大きさを小さく抑えることができる。
【００２０】
先端リップ２２は嵌入先側に向かって弓状に湾曲していて、目地ガスケット２０を嵌入の際に斜めにすることなく目地中央に誘導する役割を果たす。また、嵌入最先端にあるため上述した止水効果を有する中空リップ２６を、外壁下地合板１ａ側面のささくれから保護し、目地ガスケット２０の嵌入を円滑にしている。
【００２１】
目地ガスケット２０の中空リップ２６の材質は、例えばＥＰＤＭスポンジゴムなどのゴム様弾性体であり、他の柱２１，先端リップ２２，後端リップ２３〜２５の部分はＥＰＤＭソリッドゴムなどのゴム様弾性体である。もちろん全体をＥＰＤＭソリッドゴムにしてもよいが中空リップ２６の材質を特にＥＰＤＭスポンジゴムにすれば、嵌入時の弾性変形によって優れたシール性と脱落防止効果が得られる。また、カラー材２７の色調は外壁ボード１ｂの色にしてある。
【００２２】
図３は、本実施形態に係る、別の目地ガスケット３０を示す断面図である。これは、柱部３１に中空部３１ａ，３１ｂを設けて嵌入を容易にするとともに材料費節減を図り、また、柱部３１の先端３１ｃを上側にくりぬくことで嵌入時に目地ガスケット３０の柱部３１の高さを低くすることができるので、より狭い目地巾Ｌにも対応可能としたものである。なお、符号３２は先端リップ，３３，３４は下端リップ，および３６は中空リップであり、また３７はカラー材である。これらは図１で示した先端リップ２２，下端リップ２３〜２５，中空リップ２６，カラー材２７に対応し同様の作用効果を有する。
【００２３】
図４は、本実施形態に係る、目地ガスケット２０の中空リップ２６の側壁２６ａの外側に例えばブチルテープなどの粘着材４０およびその粘着材４０の表面に剥離紙４１を設け、嵌入後に剥離紙４１を容易に取り外せるようにしたものである。粘着材４０によって、外壁下地合板１ａ，１ａに対する中空リップ２６の密着性を高めることになるのでより高い止水効果が得られる。
【００２４】
【発明の効果】
請求項１に記載の発明によれば、中空リップは嵌入時に外壁下地合板と外壁ボードとの境界線を含めそれより外壁下地合板側下部をシールするように位置されるので、ささくれ立ち吸水性の大きい外壁下地合板の木口部が確実にシールされる。したがって、従来のように木口部を特に鉄板で覆ったり、あるいは木口部に塗膜を形成するといった防止処理加工を施す必要はなく、これにともない従来併用していた二次止水材も不要である。
また、嵌入時には先端リップが中空リップよりも先に嵌入されるので中空リップが保護される。すなわち、外壁下地合板側面のささくれに引っかかり破れることが防止され、目地ガスケットの嵌入が円滑に行われる。
【００２５】
以上のように、請求項１の記載の目地ガスケットは１部材で上述したように優れた止水効果および保護効果を発揮するので、従来品と比較して嵌入時に必要な部品点数が少なく作業工数が低減される。
【００２６】
また請求項２に記載の発明によれば、請求項１に記載の作用効果に加えて、中空リップの材質を特にＥＰＤＭスポンジゴムにすれば、嵌入時の弾性変形によって優れたシール性と脱落防止効果が得られる。
【００２７】
更に請求項３に記載の発明によれば、中空リップの上壁および側壁の形状から目地ガスケットの嵌入により中空リップの側壁全面から外壁下地合板側に略均一な力が加わるようにされているので、中空リップの外壁下地合板に対する密着性が一層高まり優れた止水効果が得られる。このため設定目地公差内であればあらゆる目地巾に対応することができ、また嵌入された目地ガスケットを引き抜く方向に外力が加わると上壁の弾性変形により中空リップ密着部の摩擦抵抗が大きくなるので脱落防止の機能が発揮される。
【００２８】
また請求項４に記載の発明によれば、請求項３に記載の作用効果に加えて、中空リップの側壁は直上方に延設されているので、延設しないものと側壁の高さを同じにして比較すると延設した方がしないものより中空リップの大きさを小さく抑えることができコスト的、スペース的に有利である。
【図面の簡単な説明】
【図１】本実施形態に係る、目地ガスケット２０の一部を示す斜視図である。
【図２】図１の目地ガスケット２０が建築用ボード１，１間に嵌入された状態を示す断面図である。
【図３】本実施形態に係る、別の目地ガスケット３０を示す断面図である。
【図４】図１に示す目地ガスケット２０の中空リップ２６に粘着材４０および剥離紙４１を設けた状態を示す断面図である。
【図５】従来例に係る、目地ガスケット１０が建築用ボード１，１間に嵌入された状態を示す断面図である。
【符号の説明】
１        建築用ボード
１ａ      外壁下地合板
１ｂ      外壁ボード
２        鉄骨材
１０        目地ガスケット
１１        柱部
１２，１３，１４，１５    シールリップ部
１６        鉄板
１７        二次止水材
２０        目地ガスケット
２１        柱部
２２        先端リップ
２３，２４，２５    後端リップ
２６        中空リップ
２６ａ      側壁
２６ｂ      上壁
２７        カラー材
３０        目地ガスケット
３１        柱部
３１ａ，３１ｂ    中空部
３１ｃ      先端
３２        先端リップ
３３，３４  後端リップ
３６        中空リップ
３６ａ      側壁
３６ｂ      上壁
３７        カラー材
４０        粘着材
４１        剥離紙
Ｐ        木口部
Ｍ        目地空間
Ｌ        目地巾
Ｈ        境界線
【図１】
0003634540.tif 000002
【図２】
0003634540.tif 000003
【図３】
0003634540.tif 000004
【図４】
0003634540.tif 000005
【図５】
0003634540.tif 000006